(57)【要約】  通信システムは、セルラ送受信機のような移動通信装置のプレゼンス状態を知ることができる。例えばＰＤＳＮアクセスゲートウェイまたはホームエージェントアクセスゲートウェイのようなアクセスゲートウェイは、移動通信装置へのアクセスを管理する。アクセスゲートウェイは、移動通信装置のプレゼンス状態を知り、それをプレゼンスサーバに報告する。アクセスゲートウェイは、アクセスゲートウェイによるシステム運用の管理中に得られる属性を用いて、プレゼンス状態を知ることができる。【選択図】図１
2008527774.tif 000002
【特許請求の範囲】
【請求項１】
移動通信装置のプレゼンス状態を知ることのできる通信システムであって、
移動通信装置のプレゼンス状態を知っており、前記移動通信装置へのアクセスを管理するためのアクセスゲートウェイと、
前記移動通信装置のプレゼンス状態を受信するように前記アクセスゲートウェイに作動的に接続されたプレゼンスサーバと、
を備える通信システム。
【請求項２】
前記アクセスゲートウェイがパケットデータサービングノードを備える、請求項１に記載の通信システム。
【請求項３】
前記アクセスゲートウェイがＧＰＲＳサービングノードを備える、請求項１に記載の通信システム。
【請求項４】
前記移動通信装置がセルラ送受信機を備える、請求項１に記載の通信システム。
【請求項５】
前記アクセスゲートウェイが前記移動通信装置上のアプリケーションのプレゼンス状態を知る、請求項１に記載の通信システム。
【請求項６】
前記プレゼンスサーバが、前記移動通信装置に照会することなく前記移動通信装置のプレゼンス状態を受信する、請求項１に記載の通信システム。
【請求項７】
前記アクセスゲートウェイが予め定められたスケジュールで前記移動通信装置に照会して前記移動通信装置のプレゼンス状態を得る、請求項１に記載の通信システム。
【請求項８】
前記プレゼンスサーバが前記移動通信装置のプレゼンス状態について前記アクセスゲートウェイに照会を開始する、請求項１に記載の通信システム。
【請求項９】
前記プレゼンスサーバが予め定められたスケジュールで前記移動通信装置のプレゼンス状態について前記アクセスゲートウェイに照会を開始する、請求項１に記載の通信システム。
【請求項１０】
無線アクセスネットワークが前記アクセスゲートウェイにプレゼンスデータを提供する、請求項１に記載の通信システム。
【請求項１１】
前記アクセスゲートウェイが前記移動通信装置の属性を格納することにより前記移動通信装置のプレゼンス状態を知る、請求項１に記載の通信システム。
【請求項１２】
前記プレゼンスサーバが、前記アクセスゲートウェイから前記移動通信装置の属性の一部を得ることによって前記移動通信装置のプレゼンス状態を受信する、請求項１１に記載の通信システム。
【請求項１３】
前記アクセスゲートウェイが前記移動通信装置へのアクセスを管理しながら属性を格納し、前記移動通信装置のプレゼンス状態が前記属性に基づく、請求項１１に記載の通信システム。
【請求項１４】
ホームネットワークの前記アクセスゲートウェイが属性を保持する、請求項１に記載の通信システム。
【請求項１５】
通信システム内の移動通信装置のプレゼンス状態の送信を容易にするためのアクセスゲートウェイにおける方法であって、
（ａ）移動通信装置へのアクセスを管理するステップと、
（ｂ）前記移動通信装置のプレゼンス状態を学習するステップと、
（ｃ）前記移動通信装置のプレゼンス状態を通信システムのプレゼンスサーバに送信するステップと、
を含む方法。
【請求項１６】
前記移動通信装置のプレゼンス状態をプレゼンスサーバに送信する前記ステップ（ｃ）が予め定められたスケジュールで行なわれる、請求項１５に記載のアクセスゲートウェイにおける方法。
【請求項１７】
（ｄ）前記移動通信装置のプレゼンス状態の要求を前記プレゼンスサーバから受信するステップをさらに含む、請求項１５に記載のアクセスゲートウェイにおける方法。
【請求項１８】
前記移動通信装置のプレゼンス状態を学習する前記ステップ（ｂ）が、無線アクセスネットワークからプレゼンスデータを受信するサブステップを含む、請求項１５に記載のアクセスゲートウェイにおける方法。
【請求項１９】
移動通信装置へのアクセスを管理する前記ステップ（ａ）が、（ａ１）前記移動通信装置にアクセスするサブステップと、（ａ２）ステップ（ａ１）のアクセスに基づいて前記移動通信装置の属性を格納するサブステップとを含み、前記移動通信装置のプレゼンス状態を学習する前記ステップ（ｂ）が、前記ステップ（ａ２）で格納された前記移動通信装置の属性に基づいて、前記移動通信装置のプレゼンス状態を知るサブステップを含む、請求項１５に記載のアクセスゲートウェイにおける方法。
【請求項２０】
前記移動通信装置のプレゼンス状態を学習する前記ステップ（ｂ）が、前記移動通信装置の格納された属性にアクセスするサブステップを含み、前記移動通信装置のプレゼンス状態を通信システムのプレゼンスサーバに送信する前記ステップ（ｃ）が、前記アクセスゲートウェイから前記プレゼンスサーバに少なくとも１つの属性を送信するサブステップを含む、請求項１５に記載のアクセスゲートウェイにおける方法。
【請求項２１】
前記移動通信装置へのアクセスを管理する前記ステップ（ａ）が、管理しながら前記移動通信装置の属性を得、移動通信装置のプレゼンス状態を学習する前記ステップ（ｂ）が、前記属性に基づいてプレゼンス状態を学習する、請求項１５に記載のアクセスゲートウェイにおける方法。
【請求項２２】
通信システム内の移動通信装置のプレゼンス状態を得るためのプレゼンスサーバにおける方法であって、
（ａ）前記移動通信装置のプレゼンス状態を前記通信システム内のアクセスゲートウェイから受信するステップと、
（ｂ）前記移動通信装置のプレゼンス状態を格納するステップと、
（ｃ）前記移動通信装置の前記格納されたプレゼンス状態に基づいて、前記通信システムの要素の中のプレゼンス状態情報を管理するステップと、
を含む方法。
【発明の詳細な説明】
【技術分野】
【０００１】
［１］［２］
本発明はプレゼンス通信に関し、より詳しくは、プレゼンス認識を有する通信システムに関する。
【０００２】
［３］
背景技術
［４］
プレゼンス、アベイラビリティ、およびロケーション（ＰＡＬ）サービスは、装置、アプリケーション、またはユーザの状態に関する情報がプレゼンスサーバのようなネットワーク化されたプレゼンスエンティティに与えられることを必要とする。この情報は、ウォッチャがいつ、どこで、どのように情報をプレゼンスエンティティに配信するか賢明な判断を下すために、ウォッチャ装置に照会、ポーリング、またはプッシュすることができる。
【０００３】
［５］
プレゼンスおよびアベイラビリティサービスは、今日利用可能なインスタントメッセージングアプリケーションの幾つかに、基本的な形で実現される。これらのプログラムは、ユーザが他のユーザの「バディリスト」を確立することを可能にする。インスタントメッセージングアプリケーションを作動させると、ユーザは「在席」になる。ユーザがそのクライアントをそうするように設定した場合、ユーザは「利用可能」とも指摘される。しかしユーザは、オフラインに移行するかあるいは通話中になった場合に、自分のプレゼンスおよびアベイラビリティ状態を変更することができる。ユーザがしばらくの間アイドル状態であった場合、インスタントメッセージングクライアントはユーザを自動的にアイドル状態と標示することができる。
【０００４】
［６］
インターネット技術標準化委員会（ＩＥＴＦ）は、インスタントメッセージング（ＩＭ）およびセッション開始プロトコル（ＳＩＰ）で使用されるプレゼンスに関する幾つかのコメント要請（ＲＦＣ）およびインターネット草案を発表している。Ｍ．Ｄａｙらは２０００年２月に「Ａ  Ｍｏｄｅｌ  ｆｏｒ  Ｐｒｅｓｅｎｃｅ  ａｎｄ  Ｉｎｓｔａｎｔ  Ｍｅｓｓａｇｉｎｇ」、Ｉｎｔｅｒｎｅｔ  ＲＦＣ  ２７７８を発表した。Ｍ．Ｄａｙらは２０００年２月に「Ｉｎｓｔａｎｔ  Ｍｅｓｓａｇｉｎｇ／Ｐｒｅｓｅｎｃｅ  Ｐｒｏｔｏｃｏｌ  Ｒｅｑｕｉｒｅｍｅｎｔｓ」、Ｉｎｔｅｒｎｅｔ  ＲＦＣ  ２７７９をも発表した。Ｊ．Ｒｏｓｅｎｂｅｒｇは２００３年１月３１日に「Ａ  Ｐｒｅｓｅｎｃｅ  Ｅｖｅｎｔ  Ｐａｃｋａｇｅ  ｆｏｒ  ｔｈｅ  Ｓｅｓｓｉｏｎ  Ｉｎｉｔｉａｔｉｏｎ  Ｐｒｏｔｏｃｏｌ（ＳＩＰ）」、インターネット草案ｄｒａｆｔ‐ｉｅｔｆ‐ｓｉｍｐｌｅ‐ｐｒｅｓｅｎｃｅ‐１０．ｔｘｔを発表した。
【０００５】
［７］
現在、プレゼンス、アベイラビリティ、およびロケーション（ＰＡＬ）サービスは主に、ユーザの状態を他のユーザに知らせるために使用される。しかし、これらの能力は、装置およびアプリケーションのプレゼンスのみならず、ロケーションサービスをも含むように強化されつつある。移動ユーザの場合、ロケーションは潜在的に有益な強化である。
【０００６】
［８］
現在、プレゼンスエンティティはメッセージを送出して、そのプレゼンス状態をプレゼンスサーバおよびウォッチャに発行する。必要なものは、プレゼンスエンティティがそのプレゼンス状態を知らしめるためのより効率的な方法である。
【０００７】
発明の概要
［９］
本発明の目的は、プレゼンスエンティティがそのプレゼンス状態を知らしめるためのより効率的な方法を提供することである。
【０００８】
［１０］
本発明の別の目的は、追加のネットワークトラフィックを発生させることなく、プレゼンスエンティティがそのプレゼンス状態を発行する方法を提供することである。
【０００９】
［１１］
本発明のさらなる目的は、ネットワーク機器にすでに存在する知識を利用して、プレゼンスエンティティに対するプレゼンス要求を低減することである。
【００１０】
［１２］
本発明の追加の目的は、アクセスゲートウェイを利用して、プレゼンスエンティティおよびプレゼンスサーバとのプレゼンス通信を処理することである。
【００１１】
［１３］
通信システムは、セルラ送受信機のような移動通信装置のプレゼンス状態を知ることができる。例えばＰＤＳＮアクセスゲートウェイまたはホームエージェントアクセスゲートウェイのようなアクセスゲートウェイは、移動通信装置へのアクセスを管理する。アクセスゲートウェイは移動通信装置のプレゼンス状態を知り、それをプレゼンスサーバに報告する。移動ＩＰの場合、アクセスゲートウェイはＰＤＳＮまたはホームエージェントのいずれかである。
【００１２】
［１４］
アクセスゲートウェイは、アクセスゲートウェイによるシステム運用の管理中に得られる属性を用いて、プレゼンス状態を知ることができる。プレゼンスサーバは、移動通信装置に照会することなく、移動通信装置のプレゼンス状態を受信する。アクセスゲートウェイは、予め定められたスケジュールで移動通信装置に照会して、移動通信装置のプレゼンス状態を得ることができる。プレゼンスサーバは、代替的に、おそらく予め定められたスケジュールで、アクセスゲートウェイに対し移動通信装置のプレゼンス状態についての照会を開始することができる。アクセスゲートウェイは、移動通信装置の属性を格納することによって、移動通信装置のプレゼンス状態を知る。アクセスゲートウェイは、無線アクセスネットワークからプレゼンスデータを得ることができる。プレゼンスサーバは、アクセスゲートウェイから移動通信装置の属性の幾つかを得ることによって、移動通信装置のプレゼンス状態を受信する。ホームエージェントとして知られるホームネットワークのアクセスゲートウェイは、属性を保持することができる。
【００１３】
［１５］
本発明の好適な実施形態の詳細、ならびにこれらおよび他の目的および特徴は、以下の詳細な説明を添付の図面と併せて読むと、そこからより容易に理解されるであろう。
【００１４】
好ましい実施の声遺体の詳細な説明
［２０］
図１は、本発明に係るプレゼンスエンティティ１１０、プレゼンスアグリゲータ１２０、プレゼンスサーバ１３０、および１つ以上のウォッチャ１４０の略ブロック図を示す。これらの構成要素は、プレゼンスアーキテクチャを簡単に構成する。プレゼンスエンティティ１１０は、そのプレゼンスが監視されるエンティティである。プレゼンスエンティティ１１０は任意の装置、アプリケーション、またはユーザとすることができ、好適な実施形態に係る移動送受信機によって表わされる。移動送受信機は移動セルラ無線または無線電話とすることができる。
【００１５】
［２１］
プレゼンスエンティティ１１０は、アクセスプロトコル１５０により、本発明の好適な実施形態ではアクセスゲートウェイであるプレゼンスアグリゲータ１２０と通信する。好適な実施形態では、プレゼンスアグリゲータ１２０は、ＰＤＳＮまたはＨＡまたはＧＧＳＮのようなアクセス装置であるが、その機能はこれらの役割に限定されない。ＰＤＳＮはパケットデータサービングノードＰＤＳＮであり、ＨＡはホームエージェントであり、ＧＧＳＮはＧＰＲＳ（一般パケットデータサービス）サービングノードである。プレゼンスアグリゲータ１２０は、複数のプレゼンスサーバ１３０でプレゼンス状態を収集し発行することができる。
【００１６】
［２２］
本発明ではプレゼンス状態によって、出願人は、プレゼンス、アベイラビリティ、およびロケーション（ＰＡＬ）からなる群から選択される、１つ以上の状態を意味する。移動送受信機のようなプレゼンスエンティティに関するプレゼンス、アベイラビリティ、およびロケーション（ＰＡＬ）状態は、次のように定義することができる。
【００１７】
プレゼンスは、移動送受信機のようなプレゼンスエンティティがネットワークに接続しているか否かを識別し、接続している場合には、電子メールアドレス、電話番号、ＵＲＬ等のようなその好適な接触方法も識別する。プレゼンスは、状態、随意の通信アドレス、および他の随意の属性等のようなプレゼンスエンティティの現在のプロパティを特徴付ける１組の属性である。アベイラビリティは、プレゼンスエンティティが特定のタイプのセッションに利用可能であるか否かを識別する。例えば、プレゼンスエンティティが電話呼中である場合、それはインスタントメッセージングに利用可能であるかもしれないが、電話サービスには利用できないと識別する。
【００１８】
アベイラビリティは、ウォッチャのアイデンティティまたはプロパティ、およびプレゼンスエンティティに関連する好みおよび／または方針のような要因に基づいて通信する、プレゼンスエンティティの能力および意思を表わすプロパティである。
【００１９】
ロケーションは、移動送受信機のようなプレゼンスエンティティの物理的または位置を識別する。ロケーションは、プレゼンスエンティティの物理的または仮想的位置の表現である。
【００２０】
［２３］
プレゼンスエンティティ１１０は、どのウォッチャ１４０がこの情報のいずれかを監視するかについて、制御することができることに留意されたい。例えば、プレゼンスエンティティ１１０は、特定グループのウォッチャ１４０のみにそのアベイラビリティを知らしめることができる。
【００２１】
［２４］
プレゼンスアグリゲータ１２０は、プレゼンスエンティティのＰＡＬ情報をそれに代わって発行する第三者とすることもできる。
【００２２】
［２５］
プレゼンスサーバ１３０は、プレゼンスアグリゲータ１２０から発行された情報１６０を受け取り、この情報をローカルデータベースに格納する。プレゼンスサーバ１３０は、２つ以上のプレゼンスアグリゲータ１２０から発行された情報１６０を受信することができる。プレゼンスサーバ１３０はまた、１つ以上のプレゼンスエンティティ１１０のプレゼンス状態をウォッチャ１４０に要求させることができる。換言すると、ウォッチャ１４０は装置のプレゼンス状態をサブスクライブすることができ、この状態が変化したときに、プレゼンスサーバ１３０はウォッチャに通知することができる。
【００２３】
［２６］
プレゼンスサーバ１３０は、プレゼンスエンティティ１１０またはプレゼンスアグリゲータ１２０にそのＰＡＬ情報のプライバシレベルを決定させることができる。例えばプレゼンスエンティティ１１０は、そのプレゼンス状態全体またはそのプレゼンス状態の一部を特定のウォッチャ１４０だけが見ることができることを、プレゼンスサーバ１３０に指示することができる。次いでプレゼンスサーバ１３０は、このプレゼンス状態を要求するウォッチャ１４０を認証しなければならない。
【００２４】
［２７］
ウォッチャ１４０は、プレゼンスサーバ１３０を介して、プレゼンスエンティティ１１０のプレゼンス状態をサブスクライブすることができる。幾つかのタイプのウォッチャ１４０が存在する。サブスクライビングウォッチャ１４０は、プレゼンスエンティティ１１０のプレゼンス状態をサブスクライブし１７０、次いでプレゼンスサーバ１３０によって事象を通知される１８０のを待つ。他方、ポーリングウォッチャ１４０は、プレゼンスエンティティ１１０のプレゼンス状態の更新を周期的に要求する。ポーリングウォッチャ１４０は、帯域幅が制限されるワイヤレスでより効率的であり、ウォッチャ１４０は送られる情報の量に対する多少の制御が望まれる。
【００２５】
［２８］
プレゼンスおよびアベイラビリティサービスは、ＣＤＭＡ２０００のような第三世代のセルラシステムのために考慮されている。ＣＤＭＡ２０００システムは、パケットデータサービングノード（ＰＤＳＮ）として知られ、２００２年９月のＣＤＭＡ２０００ワイヤレスＩＰ標準、ＴＩＡ／ＥＩＡ  ＩＳ−８３５−Ｂで定義されたアクセスゲートウェイを含む。
【００２６】
［２９］
図２は、本発明に係るプレゼンス認識を有する移動通信システムの略ブロック図を示す。ＣＤＭＡ２０００通信システムアーキテクチャが、図２の好適な実施形態に図示されている。音声およびデータ移動装置２１０は、無線チャネル２２０および無線アクセスネットワーク（ＲＡＮ）２３０を介して、在圏ネットワーク２５０のパケットデータサービングノード（ＰＤＳＮ）アクセスゲートウェイ２４０のようなアクセスゲートウェイに接続する。移動ユーザセッションはＰＰＰでカプセル化され、次いでＧＲＥカプセル化を使用するＡ１０／Ａ１１インタフェース２６０を介してトンネリングされる。
【００２７】
［３０］
２種類の呼、シンプルＩＰおよび移動ＩＰがある。シンプルＩＰ呼は経路２８０をたどり、ベーシックＩＰネットワークアクセスを提供し、在圏ネットワークから移動体にＩＰアドレスが割り当てられる。シンプルＩＰを使用する移動体が新しいＲＡＮにローミングすると、異なるＰＤＳＮアクセスゲートウェイ２４０が割り当てられ、したがって新しいＩＰアドレスが割り当てられる傾向があり、進行中のデータ転送が中断される。移動ＩＰ呼は経路２８５をたどり、ＩＰアドレスをホームネットワーク２９０によって割り当てさせ、移動装置２１０がＲＡＮをまたいでローミングするときにそれにＩＰアドレスを維持させることができる。移動ＩＰ呼は、ハンドオフ間にアプリケーション状態およびデータ転送を維持し、全体的なユーザ経験を向上させる。移動ＩＰ呼は、ＩＰ‐ｉｎ‐ＩＰ、ＧＲＥ、またはＩＰｓｅｃのいずれかを使用してＰＤＳＮアクセスゲートウェイ２４０とホームエージェントアクセスゲートウェイ２９１との間でトンネリングされる。
【００２８】
［３１］
シンプルＩＰおよび移動ＩＰタイプの呼は両方とも、フォーリンＡＡＡ（ＲＡＤＩＵＳ  ＦＡＡＡ）２５２およびホームＡＡＡ（ＲＡＤＩＵＳ  ＨＡＡＡ）２９２から構成される認証、承認、およびアカウンティング（ＡＡＡ）インフラストラクチャによって認証される。ユーザのプロファイルおよび関連情報はＲＡＤＩＵＳ  ＨＡＡＡ２９２に常駐するので、ＲＡＤＩＵＳ  ＦＡＡＡ２５２は、ＰＤＳＮアクセスゲートウェイ２４０とＲＡＤＩＵＳ  ＨＡＡＡ２９２との間で要求および応答をプロキシする。ホームエージェントアクセスゲートウェイ２９１もまた、必要ならばさらなる認証ラウンドのために、あるいは移動装置２１０のＩＰアドレスを取得するために、ＲＡＤＩＵＳ  ＨＡＡＡ２９２と直接通信することができる。
【００２９】
［３２］
シンプルＩＰおよび移動ＩＰ呼は両方とも、インターネット２８３に接続される。これは、プレゼンスサーバ２８７が、シンプルＩＰまたは移動ＩＰアクセスゲートウェイいずれかのためにプレゼンス情報を得るために接続される場所である。シンプルＩＰの場合、アクセスゲートウェイはＰＤＳＮアクセスゲートウェイ２４０である。移動ＩＰの場合、アクセスゲートウェイは、移動ＩＰトンネル２８５の両側で一緒に働くホームエージェント２９１およびアクセスゲートウェイＰＤＳＮ２４０両方から構成される。ウォッチャ２８８は、インターネットを通してプレゼンスサーバ２８７からもプレゼンス状態を得る。プレゼンスサーバ２８７およびウォッチャ２８８は代替的に、セキュリティ上の理由または他の理由のため、それぞれのＰＤＳＮアクセスゲートウェイ２４０またはホームエージェントアクセスゲートウェイ２９１の背後のシンプルＩＰまたは移動ＩＰデータに、より直接的に接続することができる。代替的接続は、図２の実施形態に示すようにインターネット２８３のワイドエリアネットワークによる。
【００３０】
［３３］
ＣＤＭＡ２０００ネットワークでは、プレゼンスサーバ２８７は、シンプルＩＰの場合にはＰＤＳＮアクセスゲートウェイ２４０の背後、または移動ＩＰの場合にはホームエージェントアクセスゲートウェイ２９１の背後のいずれかに存在することができる。コアネットワークに位置するときは、多数のプレゼンスエンティティからだけでなく、ＰＤＳＮアクセスゲートウェイ２４０およびホームエージェントアクセスゲートウェイ２９１のようなアクセスゲートウェイからも入力を受信することが可能である。したがってプレゼンス能力は、本発明の通信システムでこれらのアクセスゲートウェイによって促進される。したがって移動装置２１０のプレゼンス状態は、アクセスゲートウェイの容易化によってプレゼンスサーバ２８７に提供され、したがってネットワークの利用が改善される。
【００３１】
［３４］
図２の実施形態は一般的ＣＤＭＡ２０００ネットワークを例示しているが、商業的に展開することのできる多数の変形がある。実際、全てのサービスプロバイダは、彼らの技術上および事業上の要件に基づいて、彼ら自身の独自のアーキテクチャを使用している。シンプルＩＰだけのネットワークがある一方、シンプルＩＰおよび移動ＩＰの両方をサポートするネットワークもある。一部のネットワークアーキテクチャは集中化され、ＰＤＳＮおよびホームエージェントが１つ以上のプレゼンスポイントに共同設置される一方、分散アーキテクチャを採用するものもある。さらに、在圏およびホームネットワークは同一ネットワークであってもよく、同一サービスプロバイダによって運用される異なるネットワークであってもよく、あるいは異なるサービスプロバイダによって運用される異なるネットワークであってもよい。
【００３２】
［３５］
ＣＤＭＡ２０００ネットワークにおけるプレゼンス状態の報告は、ホームエージェントアクセスゲートウェイ２９１またはＰＤＳＮアクセスゲートウェイ２４０で行なうことができる。各々の場合について詳細に考察する。ＣＤＭＡ２０００では、移動装置との通信を可能にするためだけでなく、詳細なネットワーク使用統計を収集したり、合法的な電子監視を目的として移動ノードの挙動を追跡するためにも、移動装置に代わってプレゼンス状態を追跡することが有用であるかもしれない。
【００３３】
［３６］
ホームエージェントアクセスゲートウェイ２９１の場合、ホームエージェントアクセスゲートウェイは、移動装置２１０に代わってプレゼンス状態をプレゼンスサーバ２８７に報告することができる。プレゼンス状態の以下の属性をプレゼンスサーバ２８７で発行することができる。
【００３４】
・ネットワークアクセス識別子（ＮＡＩ）：移動装置の電子メールアドレス
・移動装置の割当てＩＰアドレス
・ホームエージェントアクセスゲートウェイにおける移動装置の総登録時間
・ホームエージェントアクセスゲートウェイにおける移動装置の残りの登録時間
・移動装置に現在サービスを提供しているＰＤＳＮアクセスゲートウェイのＩＰアドレス
・移動装置がこのセッション中に経験したＰＤＳＮアクセスゲートウェイのハンドオフの回数
・移動装置が、ホームエージェントアクセスゲートウェイで終端するかあるいはそこを通過するＩＰｓｅｃトンネルを使用しているか否か
・将来のアクセスゲートウェイアーキテクチャで利用可能になる追加属性
［３７］
一般的に、ホームエージェントアクセスゲートウェイは、移動装置に代わって、ホームエージェントアクセスゲートウェイがその移動装置に関して格納しているいずれかの情報に基づいて、プレゼンス情報を提供することができる。これは移動ＩＰのモビリティバインディング記録（ＭＢＲ）、ＡＡＡプロファイル、および他の情報を含む。われわれは、ホームエージェントアクセスゲートウェイがプレゼンスサーバに報告することのできる情報の集合体を、ホームエージェントアクセスゲートウェイ（ＨＡ）プレゼンスデータレコードまたはＨＡ‐ＰＤＲと呼ぶ。
【００３５】
［３８］
ホームエージェントアクセスゲートウェイは、少なくとも２通りの方法つまりトリガ更新およびタイマに基づく更新を用いて、プレゼンスサーバを更新することができる。トリガ更新は、移動装置のようなプレゼンスエンティティのプレゼンス状態が変化したときに、例えば移動装置がホームエージェントアクセスゲートウェイに登録したときに、送信される。タイマに基づく更新は周期的に送信され、同一更新以降ホームエージェントアクセスゲートウェイによってサービスを提供される全てのプレゼンスエンティティのプレゼンス状態の変化のみを含む。トリガ更新およびタイマに基づく更新を組み合わせて使用することもできる。
【００３６】
［３９］
ホームエージェントアクセスゲートウェイは、プレゼンス情報を移動装置に代わって送信するか否かを、局所的構成に応じて、またはＲＡＤＩＵＳ  ＨＡＡＡから返される属性に応じて決定することができる。
【００３７】
［４０］
ＰＤＳＮアクセスゲートウェイの場合、ＰＤＳＮアクセスゲートウェイ２４０は移動装置２１０に代わって、プレゼンスサーバ２８７にプレゼンス状態を報告することができる。プレゼンス状態の以下の属性をプレゼンスサーバ２８７で発行することができる。
【００３８】
・休止状態（休止中または活動中）
・休止中の場合、休止の長さ
・ネットワークアクセス識別子（ＮＡＩ）：移動装置の電子メールアドレス
・移動装置の割当てＩＰアドレス
・移動装置が、シンプルＩＰに代わりに移動ＩＰを使用しているか否か
・移動装置が使用しているシンプルＩＰおよび移動ＩＰセッションの数
・移動装置がログオンしている時間の量
・移動装置の国際移動体通信加入者識別子（ＩＭＳＩ）
・移動装置の信号強度
・移動装置の電子シリアル番号（ＥＳＮ）
・移動装置が配属されたサービス提供パケット制御機能（ＰＣＦ）
・移動体が配属されたサービス提供基地局の基地局ＩＤ、ならびにセクタＩＤおよびセルＩＤ
・この移動体のセッションに付随するサービスオプション
・サービスを提供するホームエージェント（該当する場合）
・Ｐ‐Ｐセッションが使用されているか否か
・ＩＰｓｅｃが使用されているか否か
・地理的座標
・通信会社を突き止めるためのＰＤＳＮのネットワークアクセスサーバ（ＮＡＳ）のＩＤ
・将来のアクセスゲートウェイアーキテクチャで利用可能になる追加属性
［４１］
一般的に、ＰＤＳＮアクセスゲートウェイ２４０は、移動装置に代わって、ＰＤＳＮがその移動装置に関して格納しているいずれかの情報に基づいてプレゼンス状態を提供することができる。これは、Ａ１０／Ａ１１インタフェースを介して無線アクセスネットワーク２３０から受信するいずれかの情報、ＡＡＡプロファイル、および他の情報を含む。したがってアクセスゲートウェイは、アクセスゲートウェイによってすでに管理されている属性を使用して、その状態情報を照会または導出する追加的なネットワークの負担無く、プレゼンス状態情報をプレゼンスサーバに効率的に提供する。われわれは、ＰＤＳＮアクセスゲートウェイがプレゼンスサーバに報告することのできる情報の集合体を、ＰＤＳＮプレゼンスデータレコードまたはＰＤＳＮ‐ＰＤＲと呼ぶ。
【００３９】
［４２］
ＰＤＳＮアクセスゲートウェイは、少なくとも２通りの方法つまりトリガ更新およびタイマに基づく更新を用いて、プレゼンスサーバを更新することができる。トリガ更新は、移動装置のようなプレゼンスエンティティのプレゼンス状態が変化したときに、例えば移動装置がＰＤＳＮに登録したときに、送信される。タイマに基づく更新は周期的に送信され、同一更新以降ＰＤＳＮによってサービスを提供される全てのプレゼンスエンティティのプレゼンス状態の変化のみを含む。
【００４０】
［４３］
ＰＤＳＮは、プレゼンス情報を移動装置に代わって送信するか否かを、局所的構成に応じて、またはホームＡＡＡサーバから返される属性に応じて決定することができる。
【００４１】
［４４］
アクセスゲートウェイ２４０または２９１が移動装置２１０のプレゼンス状態を得ると、それは一般的に移動装置２１０に照会する必要がなくなる。プレゼンス状態は、アクセスゲートウェイがアクセスゲートウェイ内の属性から得るか、あるいは無線アクセスネットワーク（ＲＡＮ）２３０から得ることができる。
【００４２】
［４５］
プレゼンスサーバは照会無しに移動通信装置のプレゼンス状態を受信するが、アクセスゲートウェイは予め定められたスケジュールで移動通信装置に照会して、そのプレゼンス状態を得ることができる。この照会はプレゼンスサーバによって開始するか、あるいはウォッチャからの要求に応答してプレゼンスサーバによって開始することができる。代替的に、移動通信装置のプレゼンス状態についてのアクセスゲートウェイのこの照会は、予め定められたスケジュールで行なうことができる。
【００４３】
［４６］
ユーザのプレゼンス状態およびアプリケーションのプレゼンス状態は移動通信装置に常駐するので、移動通信装置のプレゼンス状態は、装置または装置上のアプリケーションを用いてユーザの状態を表わすことができる。移動通信装置は、装置のみならずユーザおよびアプリケーションのプレゼンスエンティティでもある。
【００４４】
［４７］
図３は、本発明の通信システムにおけるホームエージェントアクセスゲートウェイからのプレゼンス報告のための３つの例示的なコールフローの流れ図を示す。第１のコールフローでは、ホームエージェントアクセスゲートウェイが、特定のユーザの新しい登録または旧登録の更新のいずれかである移動ＩＰ登録要求３１０を受信する。これはホームエージェントアクセスゲートウェイをトリガして、ユーザのＨＡ‐ＰＤＲをプレゼンスサーバに送信させる３２０。次いでプレゼンスサーバは、適切なウォッチャのいずれかにプレゼンス更新３３０を送信する。第２のコールフローでは、プレゼンス更新時間が終了し３３５、ホームエージェントアクセスゲートウェイをトリガして、１つ以上の移動装置のＨＡ‐ＰＤＲをプレゼンスサーバに送信させる３４０。次いでプレゼンスサーバは、適切なウォッチャのいずれかにプレゼンス更新３５０を送信する。第３のコールフローでは、ホームエージェントアクセスゲートウェイが特定の移動装置の移動ＩＰ登録解除要求３６０を受信する（または異なる理由で呼が終了する）。これはホームエージェントアクセスゲートウェイをトリガして、ユーザのＨＡ‐ＰＤＲをプレゼンスサーバに送信させる３７０。次いでプレゼンスサーバは、適切なウォッチャのいずれかにプレゼンス状態更新３８０を送信する。
【００４５】
［４８］
図４は、本発明の通信システムにおけるＰＤＳＮアクセスゲートウェイからのプレゼンス報告のための３つの例示的なコールフローの流れ図を示す。第１のコールフローでは、ＰＤＳＮアクセスゲートウェイが、特定の移動装置の新しい登録または旧登録の更新のいずれかであるＡ１１登録要求４１０を受信する。これはＰＤＳＮアクセスゲートウェイをトリガして、移動装置のＰＤＳＮ‐ＰＤＲをプレゼンスサーバに送信させる４２０。次いでプレゼンスサーバは、適切なウォッチャのいずれかにプレゼンス更新４３０を送信する。第２のコールフローでは、プレゼンス状態更新タイマが満了し４３５、ＰＤＳＮアクセスゲートウェイをトリガして、１つ以上の移動装置のＰＤＳＮ‐ＰＤＲをプレゼンスサーバに送信させる４４０。次いでプレゼンスサーバは、適切なウォッチャのいずれかにプレゼンス更新４５０を送信する。第３のコールフローでは、ＰＤＳＮアクセスゲートウェイが特定の移動装置のＡ１１登録解除要求を受信する（または呼が異なる理由で終了する４６０）。これはＰＤＳＮアクセスゲートウェイをトリガして、移動装置のＰＤＳＮ‐ＰＤＲをプレゼンスサーバに送信させる４７０。次いでプレゼンスサーバは、適切なウォッチャのいずれかにプレゼンス更新４８０を送信する。
【００４６】
［４９］
本発明を上記説明および図面で解説かつ図示したが、この説明は単なる実施例であり、本発明の真の精神および範囲から逸脱することなく、当業者は多くの変更および修正を施すことができることが理解される。図面の実施例は単なる例示的な構成および実施形態を描いているが、本発明の開示の教示を前提として、代替的な実施形態が利用可能である。例えば本発明は無線ＬＡＮに、あるいは有線通信にも、適用可能である。
【図面の簡単な説明】
【００４７】
【図１】［１６］本発明に係るプレゼンスエンティティ、プレゼンスアグリゲータ、プレゼンスサーバ、および１つ以上のウォッチャの略ブロック図を示す。
【図２】［１７］本発明に係るプレゼンス認識を有する移動通信システムの略ブロック図を示す。
【図３】［１８］本発明の通信システムにおけるホームエージェントアクセスゲートウェイからのプレゼンス報告のための３つの例示的コールフローの流れ図を示す。
【図４】［１９］本発明の通信システムにおけるＰＤＳＮアクセスゲートウェイからのプレゼンス報告のための３つの例示的コールフローの流れ図を示す。
【図１】
2008527774.tif 000003
【図２】
2008527774.tif 000004
【図３】
2008527774.tif 000005
【図４】
2008527774.tif 000006
【国際調査報告】
2008527774.tif 000007